(57)【要約】【課題】  所定条件の場合に限って、図柄表示手段の表示面に対する斜め方向からの図柄の視認を困難とすることにより、隣席からの不快な覗き見を困難とすることができるとともに、図柄表示手段における表示面のリアルな表示を鮮明な状態のまま表示することができる遊技機を提供する。【解決手段】  始動条件の成立に基づき、複数の図柄を表示面にて変動表示又は停止表示させる図柄表示手段６を具備した遊技機において、図柄表示手段６の表示面に対する斜め方向からの図柄の視認を困難とする視認範囲抑制手段７を具備するとともに、所定条件の検出により、当該視認範囲抑制手段７が図柄表示手段６の表示面を臨んだ位置と、当該図柄表示手段６の表示面から退避した位置との間で可動制御されるものである。【選択図】図１
2006314450.tif 000002
【特許請求の範囲】
【請求項１】
始動条件の成立に基づき、複数の図柄を表示面にて変動表示又は停止表示させる図柄表示手段を具備した遊技機において、
前記図柄表示手段の表示面に対する斜め方向からの図柄の視認を困難とする視認範囲抑制手段を具備するとともに、所定条件の検出により、当該視認範囲抑制手段が前記図柄表示手段の表示面を臨んだ位置と、当該図柄表示手段の表示面から退避した位置との間で可動制御されることを特徴とする遊技機。
【請求項２】
前記視認範囲抑制手段は、前記図柄表示手段の表示面に対して略垂直方向に入射する光は透過して透明状態を維持するとともに、略垂直方向から所定角以上斜めに入射する光は乱反射させて当該表示面における表示の視認を困難とさせる特殊フィルムにより構成されたことを特徴とする請求項１記載の遊技機。
【請求項３】
遊技者が任意操作可能な操作手段を具備するとともに、前記所定条件は、当該操作手段の操作であることを特徴とする請求項１又は請求項２記載の遊技機。
【請求項４】
前記所定条件は、前記図柄表示手段の表示面による特別演出の実行であることを特徴とする請求項１〜請求項３の何れか１つに記載の遊技機。
【請求項５】
前記図柄表示手段は、その表示面を外部に臨ませる開口が形成された構造体に設けられるとともに、当該開口に対して視認範囲抑制手段を上下又は左右に駆動する駆動手段を具備したことを特徴とする請求項１〜請求項４の何れか１つに記載の遊技機。
【発明の詳細な説明】
【技術分野】
【０００１】
本発明は、例えばパチンコ遊技機やスロットマシン等の遊技機であって、始動条件の成立に基づき、複数の図柄を表示面にて変動表示又は停止表示させる図柄表示手段を具備した遊技機に関するものである。
【背景技術】
【０００２】
通常、例えば第１種とよばれるパチンコ遊技機においては、３つの図柄を変動表示させる図柄表示手段、該図柄表示手段で表示させる図柄を変動表示開始するための始動口等が遊技盤上に形成されており、図柄表示手段の表示面にて同一の図柄が揃って停止表示されれば、大当たり状態が発生して、賞球として多数の遊技球が獲得され得るようになっている。
【０００３】
然るに、パチンコ店においては、可能な限り店内に多くのパチンコ遊技機を設置するため、隣接するパチンコ遊技機との間隔が極めて小さくなっており、自分が遊技しているパチンコ遊技機における図柄表示手段の表示（特にリーチ時の表示）が隣席の遊技者に覗かれ易くなっている。このような隣席からの覗き見を不快に感じる遊技者が多いため、従来、図柄表示手段における表示面に対する斜め方向からの覗き見を困難としたパチンコ遊技機が提案されるに至っている（例えば、特許文献１参照）。
【０００４】
かかるパチンコ遊技機によれば、遊技者からの正面視界を確保しつつ隣席からの斜め視界を遮断する視界制御フィルムを表示画面（図柄表示手段の表示面）の前に配設しているので、自分が遊技しているパチンコ遊技機の図柄表示手段の表示を視認して通常通りの遊技を行いつつ、隣席からの不快な覗き見を抑制することができる。
【特許文献１】特開２００１−１２９２０４号公報
【発明の開示】
【発明が解決しようとする課題】
【０００５】
しかしながら、上記従来の遊技機においては、隣席からの不快な覗き見を抑制しつつ正面視界が確保されているものの、正面視界においても視界制御フィルムを介在させて図柄表示手段の表示面が視認されるため、当該表示面の表示が不鮮明なものとなってしまうという問題があった。即ち、視界制御フィルムが正面視界を確保するものであっても、当該視界制御フィルムがない一般のものに比べて、表示をより鮮明に視認させることには限界があり、遊技者の興趣をより掻き立てるリアルな表示をそのまま視認させるのが困難であった。
【０００６】
また、隣席からの覗き見を不快に思う遊技者ばかりではなく、例えば知り合いの者が隣席で遊技している場合など、表示面での表示を互いに見せ合いながら、遊技を楽しむ遊技者もおり、その場合、隣席からの覗き見が困難とされていると、知り合い同士の遊技を十分に楽しむことができないという問題もあった。
【０００７】
本発明は、このような事情に鑑みてなされたもので、所定条件の場合に限って、図柄表示手段の表示面に対する斜め方向からの図柄の視認を困難とすることにより、隣席からの不快な覗き見を困難とすることができるとともに、図柄表示手段における表示面のリアルな表示を鮮明な状態のまま表示することができる遊技機を提供することにある。
【課題を解決するための手段】
【０００８】
請求項１記載の発明は、始動条件の成立に基づき、複数の図柄を表示面にて変動表示又は停止表示させる図柄表示手段を具備した遊技機において、前記図柄表示手段の表示面に対する斜め方向からの図柄の視認を困難とする視認範囲抑制手段を具備するとともに、所定条件の検出により、当該視認範囲抑制手段が前記図柄表示手段の表示面を臨んだ位置と、当該図柄表示手段の表示面から退避した位置との間で可動制御されることを特徴とする。
【０００９】
請求項２記載の発明は、請求項１記載の遊技機において、前記視認範囲抑制手段は、前記図柄表示手段の表示面に対して略垂直方向に入射する光は透過して透明状態を維持するとともに、略垂直方向から所定角以上斜めに入射する光は乱反射させて当該表示面における表示の視認を困難とさせる特殊フィルムにより構成されたことを特徴とする。
【００１０】
請求項３記載の発明は、請求項１又は請求項２記載の遊技機において、遊技者が任意操作可能な操作手段を具備するとともに、前記所定条件は、当該操作手段の操作であることを特徴とする。
【００１１】
請求項４記載の発明は、請求項１〜請求項３の何れか１つに記載の遊技機において、前記所定条件は、前記図柄表示手段の表示面による特別演出の実行であることを特徴とする。
【００１２】
請求項５記載の発明は、請求項１〜請求項４の何れか１つに記載の遊技機において、前記図柄表示手段は、その表示面を外部に臨ませる開口が形成された構造体に設けられるとともに、当該開口に対して視認範囲抑制手段を上下又は左右に駆動する駆動手段を具備したことを特徴とする。
【発明の効果】
【００１３】
請求項１の発明によれば、視認範囲抑制手段が前記図柄表示手段の表示面を臨んだ位置と、当該図柄表示手段の表示面から退避した位置との間で可動制御されるので、所定条件の場合に限って、図柄表示手段の表示面に対する斜め方向からの図柄の視認を困難とすることにより、隣席からの不快な覗き見を困難とすることができるとともに、図柄表示手段における表示面のリアルな表示を鮮明な状態のまま表示することができる。
【００１４】
請求項２の発明によれば、視認範囲抑制手段は、図柄表示手段の表示面に対して略垂直方向に入射する光は透過して透明状態を維持するとともに、略垂直方向から所定角以上斜めに入射する光は乱反射させて当該表示面における表示の視認を困難とさせる特殊フィルムにより構成されているので、装置を大がかりなものとする必要がなく、安価に製造することができる。
【００１５】
請求項３の発明によれば、操作手段の操作を条件として、視認範囲抑制手段が図柄表示手段の表示面を臨んだ位置と、当該図柄表示手段の表示面から退避した位置との間で可動制御されるので、隣席からの覗き見を抑制したい遊技者と、覗き見し合いながらの遊技を楽しみたい遊技者との両者の嗜好を満たすことができる。
【００１６】
請求項４の発明によれば、図柄表示手段の表示面による特別演出の実行を条件として、視認範囲抑制手段が図柄表示手段の表示面を臨んだ位置と、当該図柄表示手段の表示面から退避した位置との間で可動制御されるので、リーチや大当たり予告などの特別演出が隣席から覗き見されるのを抑制しつつ、通常状態の表示面の視認を良好に維持することができる。また、視認範囲抑制手段の可動により、特別演出の発生を認識させることができ、大当たりの生起を期待させることができるため、遊技性を更に向上させることができる。
【００１７】
請求項５の発明によれば、構造体の開口に対して視認範囲抑制手段を上下又は左右に駆動する駆動手段を具備したので、図柄表示手段の表示面を臨んだ位置と、当該図柄表示手段の表示面から退避した位置との間で当該視認範囲抑制手段を素早く可動制御することができる。
【発明を実施するための最良の形態】
【００１８】
以下、本発明の実施形態について図面を参照しながら具体的に説明する。
第１の実施形態に係る遊技機は、パチンコ遊技機に適用され、図１に示すように、ガラス板２が取り付けられた前面枠３を有しており、かかるガラス板２を介して遊技者が遊技盤４を目視し得るように構成されている。尚、遊技盤４には、遊技球の通過経路を種々変化させ得る複数の釘や風車等が形成されている。
【００１９】
遊技盤４の略中央には、役物としての中央構造体５が形成されており、この中央構造体５には、図柄表示手段６の表示面を外部に臨ませる開口５ａが形成されている。かかる図柄表示手段６は、その表示面（画面）に複数の図柄を変動表示又は停止表示させ得るものであり、例えば液晶画面などから成る。また、遊技盤４には、図柄表示手段６の変動表示を開始させる始動口９、大入賞口８及び貯留個数表示ランプ１０などが形成されている。
【００２０】
即ち、始動口９に遊技球が入賞すると、図柄表示手段６における表示面にて複数の図柄を変動表示開始させ、例えば同一の図柄が揃って停止表示されれば、「大当たり状態」が発生し、大入賞口８を所定時間及びタイミングで開閉させて、遊技者が多数の遊技球を獲得することができるよう構成されている。また、図柄表示手段６の図柄の変動動作中、更に遊技球が始動口９に入賞したとき、その入賞の個数に応じて貯留個数表示ランプ１０を点灯させ、遊技者に貯留個数を表示し得るようになっている。
【００２１】
更に、パチンコ遊技機１の下部右隅にはハンドル１１が配設されており、該ハンドル１１の回動操作により受け皿１２内の遊技球を遊技盤４へ弾発し得るよう構成されている。然るに、本実施形態においては、単一の受け皿１２が形成されているが、上皿及び下皿に分割形成した受け皿としてもよい。また更に、パチンコ遊技機１の下部には、遊技者が任意操作可能な押しボタンから成る操作手段１３が配設されている。
【００２２】
ところで、中央構造体５の開口５ａには、図２に示すように、略中央に形成された図柄表示手段６と、その両側に形成された一対の視認範囲抑制手段７とが配設されており、図柄表示手段６の表示面にてリーチ等の特別演出が実行される際、当該視認範囲抑制手段７が左右から中央へ移動し、図３に示すように、当該表示面を臨んだ位置にて停止するよう構成されている。即ち、図柄表示手段６によるリーチや大当たり予告等の特別演出の実行を検出（所定条件の検出）すると、視認範囲抑制手段７が、図柄表示手段６の表示面から退避した位置（図２で示す位置）から当該表示面を臨んだ位置（図３で示す位置）まで可動制御されるのである。
【００２３】
視認範囲抑制手段７は、図柄表示手段６の表示面を臨んだ位置にて、その表示面に対して略垂直方向に入射する光は透過して透明状態を維持するとともに、略垂直方向から所定角以上斜めに入射する光は乱反射させて当該表示面における表示の視認を困難とさせる特殊フィルムから成るものである。これにより、特別演出（所定条件）の場合に限って、図柄表示手段６の表示面に対する斜め方向からの図柄の視認を困難とすることにより、隣席からの不快な覗き見を困難とすることができるとともに、その他の場合は、図柄表示手段６における表示面のリアルな表示を鮮明な状態のまま表示することができる。
【００２４】
また、視認範囲抑制手段７の可動（退避位置から図柄表示手段６の表示面を臨んだ位置への移動）により、特別演出の発生を認識させることができ、大当たりの生起を期待させることができるため、遊技性を更に向上させることができる。即ち、視認範囲抑制手段７の移動自体が演出の一つとなり得るのである。尚、本実施形態においては、特殊フィルムにて視認範囲抑制手段７を構成しているので、装置を大がかりなものとする必要がなく、安価に製造することができる。
【００２５】
一方、視認範囲抑制手段７は、図４に示すように、パチンコ遊技機１内部に配設されたメイン基板１６と電気的に接続されたソレノイド１４（駆動手段）の動作により可動制御され得るようになっている。このメイン基板１６は、ＣＰＵ１６ａを有しており、該ＣＰＵ１６ａには、発生した乱数を取得するための乱数取得制御部２０、取得した乱数が特別演出を実行させるべき値であるか否かを判定する乱数判定制御部２１などが形成されている。
【００２６】
また、メイン基板１６のＣＰＵ１６ａには、Ｉ／Ｏを介して始動入賞スイッチ１７、カウントスイッチ１８、普通入賞スイッチ１９及び操作手段１３などからの信号が入力されるとともに、Ｉ／Ｏを介して図柄表示手段６、貯留個数表示ランプ１０、大入賞口８を駆動制御するソレノイド１５、及び既述の駆動手段としてのソレノイド１４などへ信号を出力し得るよう構成されている。
【００２７】
ここで、本実施形態に係る図柄表示手段６は、その表示面を外部に臨ませる開口５ａが形成された中央構造体５に設けられるとともに、当該開口５ａに対して視認範囲抑制手段７を駆動手段としてのソレノイド１４にて左右に駆動しているが、上下に駆動するようにしてもよい。即ち、視認範囲抑制手段７を左右又は上下に駆動させることにより、何れか１方向に駆動させるものに比べ、図柄表示手段６の表示面を臨んだ位置と、当該図柄表示手段６の表示面から退避した位置との間で当該視認範囲抑制手段７を素早く可動制御することができる。
【００２８】
以下、上記第１の実施形態に係るパチンコ遊技機１による制御内容について、図５のフローチャートに基づいて説明する。
まず、Ｓ１にて遊技球が始動口９に入賞して始動条件が成立したと判定されると、乱数取得制御部が乱数テーブルより乱数値を取得し（Ｓ２）、その取得された乱数がリーチ等の特別演出を実行させるべき値であるか否かを乱数判定制御部２１にて判定する（Ｓ３）。そして、Ｓ４による判定の結果、取得した乱数値が特別演出を行わせるべき値である場合、Ｓ５へ進み、ソレノイド１４を介して視認範囲抑制手段７を作動させ、当該視認範囲抑制手段７が左右の退避位置から図柄表示手段６の表示面を臨んだ位置とされる。
【００２９】
その後、図柄表示手段６の表示面にて複数の図柄を変動表示させ（Ｓ６）、特別演出を実行させた後、それら図柄を停止表示させる（Ｓ７）。図柄の停止表示の後、Ｓ８へ進み、ソレノイド１４を介して視認範囲抑制手段７を作動させ、当該視認範囲抑制手段７がそれぞれ左右の退避位置とされる。一方、Ｓ４による判定の結果、取得した乱数値が特別演出を行わせるべき値でない場合は、Ｓ９へ進み、図柄表示手段６の表示面にて複数の図柄を変動表示させ、その後、それら図柄を停止表示させる（Ｓ１０）。
【００３０】
即ち、特別演出を行わせる場合に限って、視認範囲抑制手段７を図柄表示手段６の表示面に臨ませ、隣席からの覗き見を困難とすることができるとともに、その他の通常状態においては、当該視認範囲抑制手段７を退避位置のままとし、図柄表示手段６の視認を良好に維持しているのである。尚、本実施形態においては、視認範囲抑制手段７の作動タイミングを図柄表示手段６による特別演出前としているが、特別演出における図柄変動中の所定タイミング（大当たり予告演出の出現タイミング、２つの図柄が揃ったリーチ演出時、又は２つの図柄が揃って最終図柄が停止表示される直前など）としてもよい。
【００３１】
次に、本発明に係る第２の実施形態について説明する。
本実施形態は、第１の実施形態と同様、パチンコ遊技機に適用されたもので、操作手段１３の操作を条件として、視認範囲抑制手段７が図柄表示手段６の表示面を臨んだ位置（図３で示した位置）と、当該図柄表示手段６の表示面から退避した位置（図２で示した位置）との間で可動制御されるよう構成されたものである。
【００３２】
尚、操作手段１３は、オン状態とオフ状態のそれぞれが維持されるようになっており、オン状態の操作手段１３を操作するとオフ状態となり、図３で示す位置にある視認範囲抑制手段７を図２で示す位置まで移動させるとともに、オフ状態の操作手段１３を操作するとオン状態となり、図２で示す位置にある視認範囲抑制手段７を図３で示す位置まで移動させるよう構成されている。
【００３３】
以下、上記第２の実施形態に係るパチンコ遊技機１による制御内容について、図６のフローチャートに基づいて説明する。
まず、Ｓ１にて操作手段１３がオン状態に操作されたか否かを判定し、当該操作があると判定されると、Ｓ２へ進み、ソレノイド１４を介して視認範囲抑制手段７を作動させ、当該視認範囲抑制手段７が左右の退避位置から図柄表示手段６の表示面を臨んだ位置とされる。その後、Ｓ３にて操作手段１３がオフ状態に操作されたか否かを判定し、当該操作があると判定されると、Ｓ４へ進み、ソレノイド１４を介して視認範囲抑制手段７を作動させ、当該視認範囲抑制手段７がそれぞれ左右の退避位置とされる。
【００３４】
これにより、操作手段の操作を条件として、視認範囲抑制手段７が図柄表示手段６の表示面を臨んだ位置と、当該図柄表示手段６の表示面から退避した位置との間で可動制御されるので、視認範囲抑制手段７を図柄表示手段６の表示面に臨ませ、隣席からの覗き見を困難とすることができるとともに、視認範囲抑制手段７を退避位置のままとし、図柄表示手段６の視認を良好に維持することができる。従って、隣席からの覗き見を抑制したい遊技者と、覗き見し合いながらの遊技を楽しみたい遊技者との両者の嗜好を満たすことができる。
【００３５】
次に、本発明に係る第３の実施形態について説明する。
本実施形態は、第１及び第２の実施形態と同様、パチンコ遊技機に適用されたもので、操作手段１３の操作を条件として、視認範囲抑制手段７が図柄表示手段６の表示面を臨んだ位置（図３で示した位置）と、当該図柄表示手段６の表示面から退避した位置（図２で示した位置）との間で可動制御されるよう構成されたものである。
【００３６】
尚、操作手段１３は、第２の実施形態と同様、オン状態とオフ状態のそれぞれが維持されるようになっており、オン状態の操作手段１３を操作するとオフ状態となり、図３で示す位置にある視認範囲抑制手段７を図２で示す位置まで移動させるとともに、オフ状態の操作手段１３を操作するとオン状態となり、図２で示す位置にある視認範囲抑制手段７を図３で示す位置まで移動させるよう構成されている。
【００３７】
以下、上記第３の実施形態に係るパチンコ遊技機１による制御内容について、図７のフローチャートに基づいて説明する。
まず、Ｓ１にて遊技球が始動口９に入賞して始動条件が成立したと判定されると、乱数取得制御部が乱数テーブルより乱数値を取得し（Ｓ２）、その取得された乱数がリーチ等の特別演出を実行させるべき値であるか否かを乱数判定制御部２１にて判定する（Ｓ３）。そして、Ｓ４による判定の結果、取得した乱数値が特別演出を行わせるべき値である場合、Ｓ５へ進み、操作手段１３がオン状態であるか否かが判定される。
【００３８】
操作手段１３がオン状態である場合、Ｓ６へ進み、ソレノイド１４を介して視認範囲抑制手段７を作動させ、当該視認範囲抑制手段７が左右の退避位置から図柄表示手段６の表示面を臨んだ位置とされる。その後、図柄表示手段６の表示面にて複数の図柄を変動表示させ（Ｓ７）、特別演出を実行させた後、それら図柄を停止表示させる（Ｓ８）。図柄の停止表示の後、Ｓ９へ進み、ソレノイド１４を介して視認範囲抑制手段７を作動させ、当該視認範囲抑制手段７がそれぞれ左右の退避位置とされる。
【００３９】
一方、Ｓ４による判定の結果、取得した乱数値が特別演出を行わせるべき値でない場合、又はＳ５にて操作手段１３がオフ状態であると判定した場合は、Ｓ１０へ進み、図柄表示手段６の表示面にて複数の図柄を変動表示させ、その後、それら図柄を停止表示させる（Ｓ１１）。尚、本実施形態においては、視認範囲抑制手段７の作動タイミングを図柄表示手段６による特別演出前としているが、特別演出における図柄変動中の所定タイミング（大当たり予告演出の出現タイミング、２つの図柄が揃ったリーチ演出時、又は２つの図柄が揃って最終図柄が停止表示される直前など）としてもよい。
【００４０】
次に、本発明に係る第４の実施形態について説明する。
本実施形態は、第１〜第３の実施形態と同様、パチンコ遊技機に適用されたもので、操作手段１３の操作を条件として、視認範囲抑制手段７が図柄表示手段６の表示面を臨んだ位置（図３で示した位置）と、当該図柄表示手段６の表示面から退避した位置（図２で示した位置）との間で可動制御されるよう構成されたものである。尚、本実施形態においては、押圧操作すると押しボタンが常に元の状態に復元するとともに、メイン基板１６側において操作手段１３の操作の有無のみが検出し得るよう構成されている。
【００４１】
以下、上記第４の実施形態に係るパチンコ遊技機１による制御内容について、図８のフローチャートに基づいて説明する。
まず、Ｓ１にて遊技球が始動口９に入賞して始動条件が成立したと判定されると、乱数取得制御部が乱数テーブルより乱数値を取得し（Ｓ２）、その取得された乱数がリーチ等の特別演出を実行させるべき値であるか否かを乱数判定制御部２１にて判定する（Ｓ３）。そして、Ｓ４による判定の結果、取得した乱数値が特別演出を行わせるべき値である場合、Ｓ５へ進み、操作手段１３の操作を有効化処理する。この操作の有効化処理とは、操作手段１３の操作を受け付けるための処理で、メイン基板１６が操作手段１３による操作の有無を検出し得る状態とすることをいう。
【００４２】
その後、図柄表示手段６の表示面にて複数の図柄を変動表示させ（Ｓ６）、特別演出を実行させるとともに、Ｓ７にて操作手段１３による操作の有無を判定する。操作手段１３による操作があった場合、Ｓ８へ進み、ソレノイド１４を介して視認範囲抑制手段７を作動させ、当該視認範囲抑制手段７が左右の退避位置から図柄表示手段６の表示面を臨んだ位置とされる。
【００４３】
特別演出を実行させた後、変動表示していた図柄が停止表示され（Ｓ９）、Ｓ１０へ進んで、ソレノイド１４を介して視認範囲抑制手段７を作動させ、当該視認範囲抑制手段７がそれぞれ左右の退避位置とされる。また、Ｓ１０においては、後述の如き操作手段１３による操作の無効化処理が行われる。一方、Ｓ７にて操作手段１３による操作がないと判定された場合、Ｓ１１へ進み、図柄表示手段６による図柄の変動表示が開始されてから所定時間経過したか否かが判定される。
【００４４】
当該所定時間が経過したと判定されると、Ｓ１２へ進み、操作手段１３による操作の無効化処理を行う。この操作の無効化処理とは、操作手段１３の操作を受け付けない状態とするための処理で、メイン基板１６が操作手段１３による操作の有無を検出しない状態とすることをいう。当該操作の無効化処理の後、Ｓ１３へ進み、変動表示された複数の図柄を停止表示させる。尚、Ｓ４による判定の結果、取得した乱数値が特別演出を行わせるべき値でない場合は、Ｓ１４へ進み、図柄表示手段６の表示面にて複数の図柄を変動表示させ、その後、Ｓ１３へ進んで、それら図柄を停止表示させる。
【００４５】
本実施形態によれば、特別演出の実行に伴い操作手段１３の操作が有効化されるとともに、この有効化期間中に操作手段１３を操作すると、その操作時点で視認範囲抑制手段７を作動させ、視認範囲抑制手段７を図柄表示手段６の表示面に臨ませることができる。従って、特別演出の実行期間中、遊技者の任意のタイミングで隣席からの覗き見を困難とした状態とすることができる。
【００４６】
以上、第１〜第４の実施形態について説明したが、本発明はこれらに限定されず、例えば、パチンコ遊技機の他、複数の図柄を変動表示又は停止表示させる図柄表示手段を備えたスロットマシンに適用してもよい。また、視認範囲抑制手段は、本実施形態の如き特殊フィルムから成るものの他、図柄表示手段の表示面に対する斜め方向からの図柄の視認を困難とし得る他の手段としてもよい。
【００４７】
更に、視認範囲抑制手段が図柄表示手段の表示面を臨んだ位置と、当該図柄表示手段の表示面から退避した位置との間で動作させるための所定条件は、操作手段による操作、特別演出の実行とは異なる他の条件としてもよい。また更に、操作手段は、本実施形態の如き押しボタンの他、遊技者が任意に操作し得る他の手段（操作レバーやタッチセンサなど）としてもよい。
【産業上の利用可能性】
【００４８】
図柄表示手段の表示面に対する斜め方向からの図柄の視認を困難とする視認範囲抑制手段を具備するとともに、所定条件の検出により、当該視認範囲抑制手段が図柄表示手段の表示面を臨んだ位置と、当該図柄表示手段の表示面から退避した位置との間で可動制御される遊技機であれば、外観形状が異なるもの或いは他の機能が付加されたものにも適用することができる。
【図面の簡単な説明】
【００４９】
【図１】本発明の第１の実施形態（但し、第２〜第４も同様）に係るパチンコ遊技機を示す正面図
【図２】同パチンコ遊技機における中央構造体（視認範囲抑制手段が図柄表示手段の表示面から退避した位置）を示す模式図
【図３】同パチンコ遊技機における中央構造体（視認範囲抑制手段が図柄表示手段の表示面に臨んだ位置）を示す模式図
【図４】同パチンコ遊技機におけるメイン基板及び該メイン基板に接続された構成要素を示すブロック図
【図５】同パチンコ遊技機における制御内容を示すフローチャート
【図６】本発明の第２の実施形態に係るパチンコ遊技機における制御内容を示すフローチャート
【図７】本発明の第３の実施形態に係るパチンコ遊技機における制御内容を示すフローチャート
【図８】本発明の第４の実施形態に係るパチンコ遊技機における制御内容を示すフローチャート
【符号の説明】
【００５０】
１    パチンコ遊技機
２    ガラス板
３    前面枠
４    遊技盤
５    中央構造体（役物）
５ａ  開口
６    図柄表示手段
７    視認範囲抑制手段
８    大入賞口
９    始動口
１０  貯留個数表示ランプ
１１  ハンドル
１２  受け皿
１３  操作手段
１４  ソレノイド（駆動手段）
１５  ソレノイド
１６  メイン基板
１７  始動入賞スイッチ
１８  カウントスイッチ
１９  普通入賞スイッチ
２０  乱数取得制御部
２１  乱数判定制御部
【図１】
2006314450.tif 000003
【図２】
2006314450.tif 000004
【図３】
2006314450.tif 000005
【図４】
2006314450.tif 000006
【図５】
2006314450.tif 000007
【図６】
2006314450.tif 000008
【図７】
2006314450.tif 000009
【図８】
2006314450.tif 000010